(57)【要約】【課題】複数の操作部の各々に任意の操作機能を割り当てて設定した場合であっても、ボタンＭｙＳｅｔに割り当てた設定に瞬時に切り替えることができるとともに、元の状態に確実に復帰することができる機器、制御方法およびプログラムを提供する。【解決手段】機器１は、生成部４１が生成した複数の設定情報のいずれか１つに基づいて、複数の操作部の各々に操作機能を割り当てて設定するとともに、少なくとも複数の操作部のうち複数の設定情報のいずれか１つに切り換える操作機能を割り当てた設定操作部を設定する設定部４２と、設定操作部が操作された場合、複数の操作部の各々の操作機能を変更するとともに、設定操作部に割り当てられた操作機能の変更を禁止する切替部４３と、複数の操作部の各々の操作機能が変更される前の操作機能に復帰させる復帰部４４と、を備える。【選択図】図１
2019106677.tif 000002
【特許請求の範囲】
【請求項１】
ユーザが操作することができる複数の操作部の各々に任意の操作機能を割り当てた複数の設定情報を生成する生成部と、
前記生成部が生成した前記複数の設定情報のいずれか１つに基づいて、前記複数の操作部の各々に操作機能を割り当てて設定するとともに、少なくとも前記複数の操作部のうち前記複数の設定情報のいずれか１つに切り換える操作機能を割り当てた設定操作部を設定する設定部と、
前記設定操作部が操作された場合、該設定操作部に割り当てられた前記設定情報に基づいて、前記複数の操作部の各々の操作機能を変更するとともに、前記設定操作部に割り当てられた操作機能の変更を禁止する切替部と、
前記切替部によって前記複数の操作部の各々の操作機能が変更された後に、前記設定操作部が操作された場合、前記複数の操作部の操作機能を前記切替部によって前記複数の操作部の各々の操作機能が変更される前の操作機能に復帰させる復帰部と、
を備えることを特徴とする機器。
【請求項２】
前記切替部は、
前記設定操作部が操作される前に、前記設定操作部に割り当てられた前記設定情報と異なる前記設定情報が割り当てられた前記操作部がある場合において、前記設定操作部が操作されたとき、前記設定操作部に割り当てられた前記設定情報と異なる前記設定情報が割り当てられた前記操作部の操作機能の変更を禁止することを特徴とする請求項１に記載の機器。
【請求項３】
前記切替部は、
前記設定操作部が操作された後に、前記設定操作部に割り当てられた前記設定情報と異なる前記設定情報が割り当てられた前記操作部がある場合、前記設定操作部に割り当てられた前記設定情報と異なる前記設定情報が割り当てられた前記操作部の操作機能の変更を禁止することを特徴とする請求項１に記載の機器。
【請求項４】
当該機器の駆動条件を設定する操作機能が割り当てられた条件設定部をさらに備え、
前記切替部は、
前記設定操作部が操作されたとき、前記条件設定部に割り当てられた操作機能の変更を禁止することを特徴とする請求項１〜３のいずれか一つに記載の機器。
【請求項５】
前記生成部が生成した前記複数の設定情報の各々を記録する設定情報記録部をさらに備えることを特徴とする請求項１〜４のいずれか一つに記載の機器。
【請求項６】
被写体像を結像するレンズ部と、
前記レンズ部が結像した前記被写体像を受光して画像データを生成する撮像素子と、
をさらに備え、
前記複数の操作部の各々の操作機能は、少なくとも前記レンズ部の状態を変更する機能であることを特徴とする請求項１〜５のいずれか一つに記載の機器。
【請求項７】
当該機器は、撮像装置、内視鏡、携帯電話および顕微鏡のいずれかであることを特徴とする請求項１〜６のいずれか一つに記載の機器。
【請求項８】
前記複数の操作部は、ダイヤル、ボタンおよびレバースイッチのいずれかであることを特徴とする請求項１〜７のいずれか一つに記載の機器。
【請求項９】
画像を表示可能な表示部と、
前記複数の操作部に対応する複数のアイコンを前記表示部に表示させる表示制御部と、
を備え、
前記設定部は、前記複数のアイコンに操作機能を設定するとともに、少なくとも前記複数のアイコンのうち前記複数の設定情報のいずれか１つに切り換える操作機能を割り当てることを特徴とする請求項１〜７のいずれか一つに記載の機器。
【請求項１０】
ユーザが操作することができる複数の操作部を備えた機器が実行する制御方法であって、
前記複数の操作部の各々に任意の操作機能を割り当てた複数の設定情報を生成する生成ステップと、
前記生成ステップで生成した前記複数の設定情報のいずれか１つに基づいて、前記複数の操作部の各々の操作機能を設定するとともに、少なくとも前記複数の操作部のうち前記複数の設定情報のいずれか１つに切り換える操作機能を割り当てた設定操作部を設定する設定ステップと、
前記設定操作部が操作された場合、該設定操作部に割り当てられた前記設定情報に基づいて、前記複数の操作部の各々の操作機能を変更するとともに、前記設定操作部に割り当てられた操作機能の変更を禁止する切替ステップと、
前記切替ステップによって前記複数の操作部の各々の操作機能が変更された後に、前記設定操作部が操作された場合、前記複数の操作部の操作機能を前記切替ステップによって前記複数の操作部の各々の操作機能が変更される前の操作機能に復帰させる復帰ステップと、
を含むことを特徴とする制御方法。
【請求項１１】
ユーザが操作することができる複数の操作部を備えた機器に、
前記複数の操作部の各々に任意の操作機能を割り当てた複数の設定情報を生成する生成ステップと、
前記生成ステップで生成した前記複数の設定情報のいずれか１つに基づいて、前記複数の操作部の各々の操作機能を設定するとともに、少なくとも前記複数の操作部のうち前記複数の設定情報のいずれか１つに切り換える操作機能を割り当てた設定操作部を設定する設定ステップと、
前記設定操作部が操作された場合、該設定操作部に割り当てられた前記設定情報に基づいて、前記複数の操作部の各々の操作機能を変更するとともに、前記設定操作部に割り当てられた操作機能の変更を禁止する切替ステップと、
前記切替ステップによって前記複数の操作部の各々の操作機能が変更された後に、前記設定操作部が操作された場合、前記複数の操作部の操作機能を前記切替ステップによって前記複数の操作部の各々の操作機能が変更される前の操作機能に復帰させる復帰ステップと、
を実行させることを特徴とするプログラム。
【発明の詳細な説明】
【技術分野】
【０００１】
本発明は、ユーザが操作することができる複数の操作部の各々に任意の操作機能を割り当てて切り替える機器、制御方法およびプログラムに関する。
【背景技術】
【０００２】
従来、デジタルカメラ等の機器において、様々な操作機能を特定のボタンやダイヤル等の操作部に任意に割り当てるカスタマイズ機能および特定の機能、例えば撮影条件（シャッター速度、絞り値および感度）を所望の設定値で設定したカスタムモードを行うことができる技術が知られている（特許文献１参照）。この技術では、カスタムモードにおいて変更部によって変更された操作部材の機能を、変更された時点での撮影にだけ有効とすることによって、ユーザの使い勝手を向上させる。
【先行技術文献】
【特許文献】
【０００３】
【特許文献１】特開２０１２−２９０５６号公報
【発明の概要】
【発明が解決しようとする課題】
【０００４】
ところで、近年では、撮影時にユーザが基本使用する撮影状態設定ポジションにおいて操作部を押下するだけで、カスタムモードの設定値を読み出して操作部に割り当てることができる機能（以下、単に「ボタンＭｙＳｅｔ」という）が要望されている。
【０００５】
しかしながら、ボタンＭｙＳｅｔでは、ボタンＭｙＳｅｔを割り当てた操作部を押下してボタンＭｙＳｅｔを呼び出した場合、ボタンＭｙＳｅｔを割り当てた操作部の機能が変更されてしまうことで、その操作部を再度、押下しても、元の状態に戻れなくなってしまったり、状態スイッチなどの操作部材に割り当てられた機能変更がユーザの撮影行為に支障をきたしたりするという問題があった。
【０００６】
本発明は、上記に鑑みてなされたものであって、複数の操作部の各々に任意の操作機能を割り当てて設定した場合であっても、ボタンＭｙＳｅｔに割り当てた設定に瞬時切り替えることができるとともに、元の状態に確実に復帰することができる機器、制御方法およびプログラムを提供することを目的とする。
【課題を解決するための手段】
【０００７】
上述した課題を解決し、目的を達成するために、本発明に係る機器は、ユーザが操作することができる複数の操作部の各々に任意の操作機能を割り当てた複数の設定情報を生成する生成部と、前記生成部が生成した前記複数の設定情報のいずれか１つに基づいて、前記複数の操作部の各々に操作機能を割り当てて設定するとともに、少なくとも前記複数の操作部のうち前記複数の設定情報のいずれか１つに切り換える操作機能を割り当てた設定操作部を設定する設定部と、前記設定操作部が操作された場合、該設定操作部に割り当てられた前記設定情報に基づいて、前記複数の操作部の各々の操作機能を変更するとともに、前記設定操作部に割り当てられた操作機能の変更を禁止する切替部と、前記切替部によって前記複数の操作部の各々の操作機能が変更された後に、前記設定操作部が操作された場合、前記複数の操作部の操作機能を前記切替部によって前記複数の操作部の各々の操作機能が変更される前の操作機能に復帰させる復帰部と、を備えることを特徴とする。
【０００８】
また、本発明に係る機器は、上記発明において、前記切替部は、前記設定操作部が操作される前に、前記設定操作部に割り当てられた前記設定情報と異なる前記設定情報が割り当てられた前記操作部がある場合において、前記設定操作部が操作されたとき、前記設定操作部に割り当てられた前記設定情報と異なる前記設定情報が割り当てられた前記操作部の操作機能の変更を禁止することを特徴とする。
【０００９】
また、本発明に係る機器は、上記発明において、前記切替部は、前記設定操作部が操作された後に、前記設定操作部に割り当てられた前記設定情報と異なる前記設定情報が割り当てられた前記操作部がある場合、前記設定操作部に割り当てられた前記設定情報と異なる前記設定情報が割り当てられた前記操作部の操作機能の変更を禁止することを特徴とする。
【００１０】
また、本発明に係る機器は、上記発明において、当該機器の駆動条件を設定する操作機能が割り当てられた条件設定部をさらに備え、前記切替部は、前記設定操作部が操作されたとき、前記条件設定部に割り当てられた操作機能の変更を禁止することを特徴とする。
【００１１】
また、本発明に係る機器は、上記発明において、前記生成部が生成した前記複数の設定情報の各々を記録する設定情報記録部をさらに備えることを特徴とする。
【００１２】
また、本発明に係る機器は、上記発明において、被写体像を結像するレンズ部と、前記レンズ部が結像した前記被写体像を受光して画像データを生成する撮像素子と、をさらに備え、前記複数の操作機能は、少なくとも前記レンズ部の状態を変更する機能であることを特徴とする。
【００１３】
また、本発明に係る機器は、上記発明において、当該機器は、撮像装置、内視鏡、携帯電話および顕微鏡のいずれかであることを特徴とする。
【００１４】
また、本発明に係る機器は、上記発明において、前記複数の操作部は、ダイヤル、ボタンおよびレバースイッチのいずれかであることを特徴とする。
【００１５】
また、本発明に係る機器は、上記発明において、画像を表示可能な表示部と、前記複数の操作部に対応する複数のアイコンを前記表示部に表示させる表示制御部と、を備え、前記設定部は、前記複数のアイコンに操作機能を設定するとともに、少なくとも前記複数のアイコンのうち前記複数の設定情報のいずれか１つに切り換える操作機能を割り当てることを特徴とする。
【００１６】
また、本発明に係る制御方法は、ユーザが操作することができる複数の操作部材を備えた機器が実行する制御方法であって、前記複数の操作部材の各々に任意の操作機能を割り当てた複数の設定情報を生成する生成ステップと、前記生成ステップで生成した前記複数の設定情報の各々を記録する記録ステップと、前記記録ステップで記録する前記複数の設定情報のいずれか１つに基づいて、前記複数の操作部材の各々の操作機能を設定するとともに、少なくとも前記複数の操作部材のうち前記複数の設定情報のいずれか１つに切り換える操作機能を割り当てた設定操作部材を設定する設定ステップと、前記設定操作部材が操作された場合、該設定操作部材に割り当てられた前記設定情報に基づいて、前記複数の操作部材の各々の操作機能を変更するとともに、前記設定操作部材に割り当てられた操作機能の変更を禁止する切替ステップと、前記切替ステップによって前記複数の操作部材の各々の操作機能が変更された後に、前記設定操作部材が操作された場合、前記複数の操作部材の操作機能を前記切替ステップによって前記複数の操作部材の各々の操作機能が変更される前の状態に復帰させる復帰ステップと、を含むことを特徴とする。
【００１７】
また、本発明に係るプログラムは、ユーザが操作することができる複数の操作部材を備えた機器に、前記複数の操作部材の各々に任意の操作機能を割り当てた複数の設定情報を生成する生成ステップと、前記生成ステップで生成した前記複数の設定情報の各々を記録する記録ステップと、前記記録ステップで記録する前記複数の設定情報のいずれか１つに基づいて、前記複数の操作部材の各々の操作機能を設定するとともに、少なくとも前記複数の操作部材のうち前記複数の設定情報のいずれか１つに切り換える操作機能を割り当てた設定操作部材を設定する設定ステップと、前記設定操作部材が操作された場合、該設定操作部材に割り当てられた前記設定情報に基づいて、前記複数の操作部材の各々の操作機能を変更するとともに、前記設定操作部材に割り当てられた操作機能の変更を禁止する切替ステップと、前記切替ステップによって前記複数の操作部材の各々の操作機能が変更された後に、前記設定操作部材が操作された場合、前記複数の操作部材の操作機能を前記切替ステップによって前記複数の操作部材の各々の操作機能が変更される前の状態に復帰させる復帰ステップと、を実行させることを特徴とする。
【発明の効果】
【００１８】
本発明によれば、複数の操作部の各々に任意の所定の操作機能を割り当てて設定した場合であっても、ボタンＭｙＳｅｔに割り当てた設定に撮影中の撮影継続性を妨げることなく、瞬時に切り換えることができるとともに、元の状態に確実に復帰することができるという効果を奏する。
【図面の簡単な説明】
【００１９】
【図１】図１は、本発明の実施の形態１に係る機器の機能構成を模式的に示すブロック図である。
【図２】図２は、本発明の実施の形態１に係る機器が実行する処理の概要を示すフローチャートである。
【図３】図３は、本発明の実施の形態２に係る撮像装置の概略構成を示す斜視図である。
【図４】図４は、図３に示す操作部材の一例の上面図である。
【図５】図５は、本発明の実施の形態２に係る撮像装置の機能構成を示すブロック図である。
【図６】図６は、ユーザによる設定情報の設定方法の概要を模式的に説明する図である。
【図７】図７は、ユーザによる設定情報の設定方法の概要を模式的に説明する図である。
【図８】図８は、ユーザによる設定情報の設定方法の概要を模式的に説明する図である。
【図９】図９は、ユーザによる設定情報の設定方法の概要を模式的に説明する図である。
【図１０】図１０は、ユーザによる設定情報の設定方法の概要を模式的に説明する図である。
【図１１】図１１は、ユーザによる設定情報の設定方法の概要を模式的に説明する図である。
【図１２】図１２は、ユーザによる設定情報の設定方法の概要を模式的に説明する図である。
【図１３】図１３は、ユーザによる設定情報の設定方法の概要を模式的に説明する図である。
【図１４】図１４は、本発明の実施の形態２に係る撮像装置が実行する処理の概要を示すフローチャートである。
【図１５】図１５は、図１４のＭｙＳｅｔボタン処理の概要を示すフローチャートである。
【図１６】図１６は、本発明の実施の形態２に係る撮像装置が表示する画像の一例を模式的に示す図である。
【図１７】図１７は、本発明の実施の形態２に係る撮像装置が表示する画像の一例を模式的に示す図である。
【図１８】図１８は、図１５のマイセット禁止機能登録リスト自動生成処理の概要を示すフローチャートである。
【図１９】図１９は、図１８のマイセット禁止機能登録リスト自動生成処理の概要を説明する説明図である。
【図２０】図２０は、図１８のマイセット禁止機能登録リスト自動生成処理の概要を説明する説明図である。
【図２１】図２１は、図１５のマイセット設定・解除処理の概要を示すフローチャートである。
【図２２】図２２は、本発明の実施の形態２に係る撮像装置が表示する画像の一例を模式的に示す図である。
【図２３】図２３は、本発明の実施の形態２に係る撮像装置が表示する画像の一例を模式的に示す図である。
【図２４】図２４は、本発明の実施の形態２の変形例１に係るアイコンの一例を模式的に示す図である。
【図２５】図２５は、本発明の実施の形態２の変形例１に係るアイコンの一例を模式的に示す図である。
【図２６】図２６は、本発明の実施の形態２の変形例２に係るＦｎレバーによるマイセットの切り替えを模式的に説明する図である。
【図２７】図２７は、本発明の実施の形態２の変形例２に係るＦｎレバーによるマイセットの切り替えを模式的に説明する図である。
【発明を実施するための形態】
【００２０】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさおよび位置関係のみに限定されるものではない。
【００２１】
（実施の形態１）
〔機器の概要〕
図１は、本発明の実施の形態１に係る機器の機能構成を模式的に示すブロック図である。図１に示す機器１は、デジタルスチルカメラ等の撮像装置、スマートフォン等の携帯電話、動画撮影を行うことができるカムコーダ、撮影機能付きＩＣレコーダ、タブレット型端末装置、細胞や鉱物等を観察することができるビデオマイクロスコープの撮像機能を有する顕微鏡、工業用または医療用の内視鏡、遠隔操作で手術可能な手術システムおよび遠隔操作で撮影可能な監視システムに適用することができる。即ち、図１に示す機器１は、ユーザが複数の操作部材の各々または表示モニタ等で表示される複数のアイコンの各々に任意の操作機能を割り当てることができるものであれば適用することができる。
【００２２】
図１に示すように、機器１は、任意の操作機能を割り当てることができる第１操作部２１、第２操作部２２および第ｎ操作部２ｎ（ｎ＝３以上の整数）と、機器１の各種情報を記録する記録部３と、機器１を構成する各部を統括的に制御する制御部４と、を備える。
【００２３】
第１操作部２１、第２操作部２２および第ｎ操作部２ｎは、例えばスイッチ、ボタン、ダイヤルスイッチおよびレバースイッチのいずれかを用いて構成され、ユーザの操作の入力を受け付ける。なお、第１操作部２１、第２操作部２２および第ｎ操作部２ｎの各々を、互いに異なる部材、例えば第１操作部２１および第２操作部２２をボタン、第ｎ操作部２ｎをダイヤルスイッチ等で構成してもよい。
【００２４】
記録部３は、揮発性メモリ、不揮発性メモリおよびメモリカード等の記録媒体を用いて構成され、機器１が実行するプログラムや処理中のデータを記録する。記録部３は、機器１が実行するプログラムを記録するプログラム情報記録部３１と、第１操作部２１、第２操作部２２および第ｎ操作部２ｎの各々に任意の操作機能を割り当てた複数の設定情報を記録する設定情報記録部３２と、を有する。ここで、操作機能とは、少なくとも機器１の電源をオフにする電源オフ機能、ＡＦ（Auto  Focus）を停止させるＡＦ停止機能、露出を固定するＡＥＬ（Auto  Exposure  Lock）機能、画像データを確認するプレビュー機能、ホワイトバランスを取得するワンタッチＷＢ機能および設定情報を呼び出して第１操作部２１、第２操作部２２および第ｎ操作部２ｎの操作機能を割り当てて切り替えるボタンＭｙＳｅｔ機能である。もちろん、操作機能として、撮像装置に関する機能以外に、携帯電話であれば、外部へ通信する通話やアプリの読み出し、顕微鏡であれば、倍率の変更や照明光の強度変更、内視鏡であれば、照明光の波長帯域の変更、光学系のズーム倍率変更等、手術システムであれば、処置具の交換や光学系のズーム倍率変更、視野の変更等、監視システムであれば、監視カメラの切り替え、監視カメラのズーム倍率変更等が考えられる。
【００２５】
制御部４は、ＣＰＵ（Central  Processing  Unit）、ＡＳＩＣ（Application  Specific  Integrated  Circuit）およびＦＰＧＡ（Field  Programmable  Gate  Array）等を用いて構成され、機器１を構成する各部を制御する。制御部４は、生成部４１と、設定部４２と、切替部４３と、復帰部４４と、を有する。
【００２６】
生成部４１は、第１操作部２１、第２操作部２２および第ｎ操作部２ｎの各々に任意の操作機能を割り当てた複数のマイセット情報を生成する。例えば、生成部４１は、第１操作部２１の操作に応じてユーザが選択した複数の操作機能の各々を、第１操作部２１、第２操作部２２および第ｎ操作部２ｎに割り当てた一覧を設定情報として複数生成する。
【００２７】
設定部４２は、設定情報記録部３２が記録する複数の設定情報のいずれか１つに基づいて、第１操作部２１、第２操作部２２および第ｎ操作部２ｎの各々の操作機能を設定するとともに、少なくとも第１操作部２１、第２操作部２２および第ｎ操作部２ｎのうち複数の設定情報のいずれか１つに切り換えるＭｙＳｅｔ機能を割り当てた設定操作部材を設定する。本実施の形態１では、第１操作部２１を設定操作部材として説明する。
【００２８】
切替部４３は、設定操作部材としての第１操作部２１が操作された場合、第１操作部２１に割り当てられた設定情報に基づいて、第２操作部２２および第ｎ操作部２ｎの各々の操作機能を変更するとともに、第１操作部２１に割り当てられた操作機能の変更を禁止する。
【００２９】
復帰部４４は、切替部４３によって第２操作部２２および第ｎ操作部２ｎの各々の操作機能が変更された後に、第１操作部２１が操作された場合、第２操作部２２および第ｎ操作部２ｎの各々の操作機能を切替部４３によって変更される前の操作機能に復帰させる。
【００３０】
〔機器の処理〕
次に、機器１が実行する処理について説明する。図２は、機器１が実行する処理の概要を示すフローチャートである。
【００３１】
図２に示すように、まず、生成部４１は、第１操作部２１の操作に応じてユーザが選択した複数の操作機能の各々を、第１操作部２１、第２操作部２２および第ｎ操作部２ｎに割り当てた設定情報を生成する（ステップＳ１）。
【００３２】
続いて、設定情報記録部３２は、生成部４１が生成した設定情報を記録する（ステップＳ２）。
【００３３】
その後、設定部４２は、設定情報記録部３２が記録する複数の設定情報のいずれか１つに基づいて、第１操作部２１、第２操作部２２および第ｎ操作部２ｎの各々の操作機能を設定する（ステップＳ３）。この場合、設定部４２は、第１操作部２１にボタンＭｙＳｅｔ機能を割り当てた設定を行う。これにより、第１操作部２１が設定操作部材として機能する。
【００３４】
続いて、第１操作部２１が操作された場合（ステップＳ４：Ｙｅｓ）において、切替部４３によって操作機能が切り替えられる切替前であるとき（ステップＳ５：Ｙｅｓ）、切替部４３は、第１操作部２１に割り当てられた設定情報に基づいて、第２操作部２２および第ｎ操作部２ｎの操作機能を切り替える（ステップＳ６）。この場合、切替部４３は、第１操作部２１に割り当てられた操作機能の変更を禁止する。具体的には、切替部４３は、第１操作部２１に割り当てられた設定情報の読み出し機能であるＭｙＳｅｔ機能を、設定情報に登録された操作機能に変更されることを禁止する。これにより、ユーザは、瞬時に任意の操作機能に変更することができるとともに、第１操作部２１の操作機能の変更が禁止されているので、第２操作部２２および第ｎ操作部２ｎの操作機能が変更された場合であっても、操作に戸惑うことなく、機器１の操作を行うことができる。
【００３５】
続いて、機器１の操作を終了する場合（ステップＳ７：Ｙｅｓ）、機器１は、本処理を終了する。これに対して、機器１の操作を終了しない場合（ステップＳ７：Ｎｏ）、機器１は、上述したステップＳ４へ戻る。
【００３６】
ステップＳ４において、第１操作部２１が操作された場合（ステップＳ４：Ｙｅｓ）において、切替部４３によって操作機能が切り替えられる切替前でないとき、すなわち切換え後（ステップＳ５：Ｎｏ）、復帰部４４は、第２操作部２２および第ｎ操作部２ｎの各々の操作機能を切替部４３によって変更される前の操作機能に復帰させる（ステップＳ８）。これにより、ユーザは、第２操作部２２および第ｎ操作部２ｎの各々の操作機能を元の状態に確実に復帰させることができる。ステップＳ８の後、機器１は、ステップＳ７へ移行する。
【００３７】
ステップＳ４において、第１操作部２１が操作されていない場合（ステップＳ４：Ｎｏ）、機器１は、ステップＳ７へ移行する。
【００３８】
以上説明した本発明の実施の形態１によれば、切替部４３が第１操作部２１に割り当てられた設定情報に基づいて、第２操作部２２および第ｎ操作部２ｎの操作機能を切り替えるとともに、第１操作部２１に割り当てられた操作機能の変更を禁止するので、複数の操作部の各々に任意の所定の操作機能を割り当てて設定した場合であっても、ボタンＭｙＳｅｔに割り当てた設定に瞬時に切り換えることができる。
【００３９】
さらに、本発明の実施の形態１によれば、第１操作部２１が操作された場合において、切替部４３によって操作機能が切り替えられる切替後であるとき、復帰部４４が第２操作部２２および第ｎ操作部２ｎの各々の操作機能を切替部４３によって変更される前の操作機能に復帰させるので、元の状態に確実に復帰することができる。
【００４０】
（実施の形態２）
次に、本発明の実施の形態２について説明する。上述した実施の形態１では、機器の種別を特定していなかったが、本実施の形態２では、機器として被写体を撮像して画像データを生成することができる撮像装置を例に説明する。以下においては、本実施の形態２に係る撮像装置の構成を説明後、本実施の形態２に係る撮像装置が実行する処理について説明する。なお、上述した実施の形態１に係る機器１と同一の構成には同一の符号を付して説明を省略する。
【００４１】
〔撮像装置の構成〕
図３は、本実施の形態２に係る撮像装置の概略構成を示す斜視図である。図４は、図３に示す操作部材の一例の上面図である。図５は、本実施の形態２に係る撮像装置の機能構成を示すブロック図である。
【００４２】
図３〜図５に示す撮像装置１００は、被写体を撮像して画像データや動画データを生成することができる。撮像装置１００は、例えばデジタルスチルカメラ、レンズ交換式デジタルスチルカメラおよびカムコーダ等が用いられる。
【００４３】
撮像装置１００は、レンズ部１０１と、レンズ制御部１０２と、絞り１０３と、絞り制御部１０４と、シャッタ１０５と、シャッタ制御部１０６と、撮像素子１０７と、撮像制御部１０８と、Ａ／Ｄ変換部１０９と、メモリ１１０と、画像処理部１１１と、露出制御部１１２と、ＡＦ処理部１１３と、外部メモリ１１４と、第１表示部１１５と、記録部１１６と、操作部１１７と、第２表示部１１８と、電源部１１９と、電源制御部１２０と、アクセサリー接続部１２１と、制御部１２２と、を備える。
【００４４】
レンズ部１０１は、被写体像を撮像素子１０７の受光面に結像する。レンズ部１０１は、１または複数のレンズおよび、これらのレンズを光軸方向に沿って移動させるステッピングモータ等の駆動部を用いて構成される。レンズ部１０１は、レンズ制御部１０２の制御のもと、光軸方向に沿って移動することによってピント位置や画角を変更する。
【００４５】
レンズ制御部１０２は、レンズ部１０１に電圧を印加する駆動ドライバや制御回路を用いて構成され、制御部１２２の制御のもと、レンズ部１０１に電圧を印加することによってレンズ部１０１を光学方向に移動させてレンズ部１０１のピント位置や画角を変更させる。
【００４６】
絞り１０３は、絞り制御部１０４の制御のもと、レンズ部１０１が集光した光の入射量を制限することで露出の調整を行う。
【００４７】
絞り制御部１０４は、絞り１０３に電圧を印加する駆動ドライバや制御回路を用いて構成され、制御部１２２の制御のもと、絞り１０３に電圧を印加することによって絞り１０３のＦ値を制御する。
【００４８】
シャッタ１０５は、シャッタ制御部１０６の制御のもと、撮像素子１０７の状態を露光状態または遮光状態に設定する。シャッタ１０５は、例えばフォーカルプレーンシャッタ等を用いて構成される。
【００４９】
シャッタ制御部１０６は、シャッタ１０５に電圧を印加する駆動ドライバや制御回路を用いて構成され、制御部１２２の制御のもと、シャッタ１０５に電圧を印加することによってシャッタ１０５の状態を露光状態または遮光状態に切り替える。
【００５０】
撮像素子１０７は、撮像制御部１０８の制御のもと、レンズ部１０１が集光した被写体像を受光して光電変換を行うことによって画像データ（ＲＡＷデータ）を生成し、この画像データをＡ／Ｄ変換部１０９へ出力する。撮像素子１０７は、ＣＣＤ（Charge  Coupled  Device）またはＣＭＯＳ（Complementary  Metal  Oxide  Semiconductor）等のイメージセンサを用いて構成される。なお、撮像素子１０７の受光面に位相差画素を設けてもよい。
【００５１】
撮像制御部１０８は、撮像素子１０７の撮影タイミングを制御するタイミングジェネレータ等を用いて構成され、制御部１２２の制御のもと、撮像素子１０７を所定のタイミングで撮影させる。
【００５２】
Ａ／Ｄ変換部１０９は、撮像素子１０７から入力されたアナログの画像データに対して、Ａ／Ｄ変換を行うことによってデジタルの画像データに変換してメモリ１１０へ出力する。
【００５３】
メモリ１１０は、ＶＲＡＭやＤＲＡＭ等のフレームメモリを用いて構成され、Ａ／Ｄ変換部１０９から入力された画像データや画像処理部１１１が画像処理を施した画像データを一時的に記録するとともに、記録した画像データを画像処理部１１１または制御部１２２へ出力する。
【００５４】
画像処理部１１１は、ＧＰＵ（Graphics  Processing  Unit）やＦＰＧＡ等を用いて構成され、メモリ１１０に記録された画像データを取得し、取得した画像データに対して画像処理を行ってメモリ１１０または制御部１２２へ出力する。ここで、画像処理としては、デモザイキング処理、ゲインアップ処理、ホワイトバランス調整処理、ノイズ低減処理およびＪＰＥＧデータを生成する現像処理等である。
【００５５】
露出制御部１１２は、制御部１２２を介して入力された画像データに基づいて、撮像装置１００の露出を制御する。具体的には、露出制御部１１２は、制御部１２２を介して絞り制御部１０４およびシャッタ制御部１０６に撮像装置１００の露出が適正露出となるように制御パラメータを出力する。
【００５６】
ＡＦ処理部１１３は、制御部１２２を介して入力された画像データに基づいて、撮像装置１００のピント位置を制御する。ＡＦ処理部１１３は、位相差方式、コントラスト方式および位相差方式とコントラスト方式とを組み合わせたハイブリット方式のいずれか１つを用いて撮像装置１００のピント位置に関する制御パラメータを、制御部１２２を介してレンズ制御部１０２へ出力する。
【００５７】
外部メモリ１１４は、撮像装置１００の外部から着脱自在に装着され、制御部１２２から入力された画像データを記録する。外部メモリ１１４は、例えばメモリカード等の記録媒体を用いて構成される。
【００５８】
第１表示部１１５は、制御部１２２から入力された画像データに対応する画像や各種情報を表示する。第１表示部１１５は、液晶や有機ＥＬ（Electro  Luminescence）等の表示パネルを用いて構成される。なお、第１表示部１１５の表示領域上に、外部からのタッチ位置を検出するタッチパネルを重畳して設けてもよい。
【００５９】
記録部１１６は、揮発性メモリや不揮発性メモリ等を用いて構成され、撮像装置１００に関する各種情報やプログラムを記録する。記録部１１６は、プログラム情報記録部３１と、設定情報記録部３２と、を有する。
【００６０】
操作部１１７は、複数の操作部材を用いて構成される。操作部１１７は、例えばスイッチ、ボタン、ダイヤルスイッチおよびレバースイッチのいずれかを用いて構成され、ユーザの操作の入力を受け付ける。具体的には、操作部１１７は、図３および図４に示すように、Ｆｎ１ボタン２０１（ＭｙＳｅｔボタン）と、Ｆｎ２ボタン２０２（ＡＥＬボタン）と、Ｆｎ３ボタン２０３（拡大ボタン）と、Ｆｎ４ボタン２０４（モニタボタン）と、動画ボタン２０５と、上方向ボタン２０６と、下方向ボタン２０７と、左方向ボタン２０８と、右方向ボタン２０９と、決定ボタン２１０と、ＩＮＦＯボタン２１１と、ＭＥＮＵボタン２１２と、再生ボタン２１３と、消去ボタン２１４と、Ｆｎレバー２１５と、を有する。さらに、操作部１１７は、電源レバー３０１と、撮影モードダイヤル３０２と、Ｒダイヤル３０３と、Ｆダイヤル３０４と、シャッターボタン３０５と、を有する。
【００６１】
Ｆｎ１ボタン２０１は、マイセット情報の読み出しを指示する指示信号の入力を受け付ける。
Ｆｎ２ボタン２０２は、露出を固定する指示信号の入力を受け付ける。
Ｆｎ３ボタン２０３は、ライブビューの拡大表示を指示する指示信号の入力を受け付ける。
Ｆｎ４ボタン２０４は、第１表示部１１５または第２表示部１１８の表示の切り替えを指示する指示信号の入力を受け付ける。
動画ボタン２０５は、動画撮影を指示する指示信号の入力を受け付ける。
上方向ボタン２０６は、上方向へカーソルを移動させる指示信号の入力を受け付ける。
下方向ボタン２０７は、下方向へカーソルを移動させる指示信号の入力を受け付ける。
左方向ボタン２０８は、左方向へカーソルを移動させる指示信号の入力を受け付ける。
右方向ボタン２０９は、右方向へカーソルを移動させる指示信号の入力を受け付ける。
決定ボタン２１０は、選択された項目を決定する指示信号の入力を受け付ける。
ＩＮＦＯボタン２１１は、撮像装置１００に関する情報を第１表示部１１５に表示させる指示信号の入力を受け付ける。
ＭＥＮＵボタン２１２は、撮像装置１００のメニューを第１表示部１１５に表示させる指示信号の入力を受け付ける。
再生ボタン２１３は、外部メモリ１１４に記録された画像データの再生を指示する指示信号の入力を受け付ける。
消去ボタン２１４は、外部メモリ１１４に記録された画像データの削除を指示する指示信号の入力を受け付ける。
【００６２】
Ｆｎレバー２１５は、撮影条件を変更する指示信号の入力を受け付ける。
電源レバー３０１は、撮像装置１００の電源のオンまたはオフを指示する指示信号の入力を受け付ける。
撮影モードダイヤル３０２は、図４に示すように、軸３０２ａを中心に回転可能であり、指標３０２ｂの位置で停止した撮影モードを指示する指示信号の入力を受け付ける。複数の撮影モードのうちカスタムモード（Ｃ１モード、Ｃ２モード、Ｃ３モード）の各々は、後述する設定部４２が互いに異なる設定情報に基づいて、複数の操作部の各々に操作機能を割り当てて設定している。
Ｒダイヤル３０３は、回転可能であり、撮影条件で設定された撮影パラメータを変更する指示信号の入力を受け付ける。
Ｆダイヤル３０４は、回転可能であり、撮影条件で設定された撮影パラメータを変更する指示信号の入力を受け付ける。
シャッターボタン３０５は、半押しされた場合に撮影準備を指示する指示信号の入力を受け付け、全押しされた場合に撮影を指示する指示信号の入力を受け付ける。
【００６３】
第２表示部１１８は、電子ビューファインダ（ＥＶＦ）として機能し、制御部１２２から入力された画像データに対応する画像や各種情報を表示する。第２表示部１１８は、液晶や有機ＥＬ等の表示パネル、接眼レンズおよび赤外センサ等を用いて構成される。
【００６４】
電源部１１９は、撮像装置１００に対して着脱自在であり、電源制御部１２０の制御のもと、撮像装置１００を構成する各部に所定の電圧を供給する。電源部１１９は、例えばリチウムイオン充電池やニッケル水素充電池等を用いて構成される。
【００６５】
電源制御部１２０は、制御部１２２の制御のもと、電源部１１９が供給する電圧を所定の電圧になるように調整する。電源制御部１２０は、レギュレータ（Regulator）を用いて構成される。
【００６６】
アクセサリー接続部１２１は、撮像装置１００に対して着脱自在なアクセサリー、例えばフラッシュ装置、マイク、外部レコーダが接続される。アクセサリー接続部１２１は、撮像装置１００に接続されたアクセサリーに対して所定の通信規格に従って制御信号を送信または受信して制御部１２２へ出力する。
【００６７】
制御部１２２は、ＣＰＵやＡＳＩＣを用いて構成され、撮像装置１００を構成する各部を統括的に制御する。制御部１２２は、生成部４１と、設定部４２と、切替部４３と、復帰部４４と、表示制御部１２２ａと、を有する。
【００６８】
表示制御部１２２ａは、第１表示部１１５および第２表示部１１８の表示態様を制御する。具体的には、表示制御部１２２ａは、撮像素子１０７が生成した画像データに対応するライブビュー画像や撮像装置１００に関する各種情報を第１表示部１１５または第２表示部１１８に表示させる。
【００６９】
〔設定情報の設定方法〕
次に、ユーザによる設定情報（ＭｙＳｅｔ情報）の設定方法について説明する。図６〜図１３は、ユーザによる設定情報の設定方法の概要を模式的に説明する図である。
【００７０】
図６に示すように、まず、ユーザがＭＥＮＵボタン２１２を操作し、下方向ボタン２０７等を操作してメニュー画面におけるカスタムメニューＷ１を選択した場合、表示制御部１２２ａは、複数の操作部材の各々の操作機能を任意に設定するための操作画面Ｗ２を第１表示部１１５に表示させる。
【００７１】
続いて、ユーザが決定ボタン２１０を操作してボタン機能Ｗ３を選択した場合、図７に示すように、表示制御部１２２ａは、ボタン機能登録を行うボタン機能登録画面Ｗ４を第１表示部１１５に表示させる（図６→図７）。
【００７２】
その後、図８に示すように、ユーザは、下方向ボタン２０７等を操作して所望のボタンを選択する（図７→図８）。なお、図７および図８において、ボタン機能登録画面Ｗ４上では、４つの操作部材のみ表示しているが、図９の操作部材一覧テーブルＴ１に示すように、ユーザが上方向ボタン２０６や下方向ボタン２０７を操作することで、他の操作部材を選択することができる。
【００７３】
そして、ユーザがＦｎ４ボタン機能Ｗ５を選択した場合、表示制御部１２２ａは、図１０に示すように、Ｆｎ４ボタン機能登録画面Ｗ６を第１表示部１１５に表示させる（図８→図１０）。
【００７４】
続いて、ユーザは、下方向ボタン２０７等を操作してＦｎ４ボタン２０４の操作機能を割り当てる。この場合、表示制御部１２２ａは、Ｆｎ４ボタン２０４に割り当てられた設定値である操作機能を第１表示部１１５に表示させる。ここで、操作部材に割り当て可能な選択肢は、図１１に示すボタン登録機能一覧テーブルＴ２である。なお、図１１に示すボタン登録機能の一覧は、適宜変更することができるうえ、撮像装置１００以外の場合、内視鏡における特有の機能や顕微鏡の特有の機能、例えば内視鏡の場合、照明光の波長帯域の切り替え等が含まれる。ユーザは、ボタン登録機能一覧テーブルＴ２の中から選択して任意の操作機能を割り当てて設定することができる。
【００７５】
その後、ユーザは、下方向ボタン２０７等を操作してボタン登録機能一覧テーブルＴ２の中からＭｙＳｅｔを選択した後（図１０→図１２）、決定ボタン２１０を操作した場合、Ｆｎ４ボタン２０４の操作機能にＭｙＳｅｔを読み出す操作機能が割り当てて設定される（図１２→図１３）。このようにして、生成部４１は、ユーザによる操作部１１７の操作に基づいて、複数の操作部材の各々に選択肢から任意の操作機能を割り当てることができる。これらの割り当てられた操作機能のセットは、複数登録でき、不図示のメニュー操作によって複数のマ設定情報（例えばＭｙＳｅｔ１〜ＭｙＳｅｔ４）として生成して設定情報記録部３２に記録する。
【００７６】
〔撮像装置の処理〕
次に、撮像装置１００が実行する処理について説明する。図１４は、撮像装置１００が実行する処理の概要を示すフローチャートである。また、以下において、撮像装置１００のベース設定値（基本設定）として、設定情報（例えばＭｙＳｅｔ１）に切り替える指示信号の入力を受け付ける操作機能をＦｎ１ボタン２０１（以下、「ＭｙＳｅｔボタン２０１」という）に割り当てて設定したものとして説明する。即ち、本実施の形態２では、ＭｙＳｅｔボタン２０１が設定操作部材として機能する。
【００７７】
図１４に示すように、まず、制御部１２２は、撮像素子１０７が生成した画像データに対応するライブビュー画像を第１表示部１１５に表示させる（ステップＳ１０１）。この場合、制御部１２２は、撮像素子１０７に撮像させて画像データを生成させ、この画像データに対して、画像処理部１１１に画像処理を施させて第１表示部１１５に出力させる。
【００７８】
続いて、撮像装置１００の設定変更操作があった場合（ステップＳ１０２：Ｙｅｓ）において、ＭｙＳｅｔボタン２０１が押下されたとき（ステップＳ１０３：Ｙｅｓ）、撮像装置１００は、複数の操作部材の各々の操作機能を切り替えるＭｙＳｅｔボタン処理を実行する（ステップＳ１０４）。なお、ＭｙＳｅｔボタン処理の詳細は後述する。ステップＳ１０４の後、撮像装置１００は、ステップＳ１０６へ移行する。
【００７９】
ステップＳ１０２において、撮像装置１００の設定変更操作があった場合（ステップＳ１０２：Ｙｅｓ）において、ＭｙＳｅｔボタン２０１が押下されていないとき（ステップＳ１０３：Ｎｏ）、制御部１２２は、ＭｙＳｅｔボタン２０１以外のボタン、Ｆｎレバー２１５および各ダイヤルに対する操作に応じて、撮像装置１００の撮影パラメータ（例えばＳＳ、Ｆ値およびＩＳＯ感度）または撮影モード（Ｐモード、Ａモード、Ｓモード、Ｍモード、Ｃ１モード等）を切り替えるＭｙＳｅｔ以外の設定変更操作処理を実行する（ステップＳ１０５）。具体的には、制御部１２２は、撮影モードダイヤル３０２が操作された場合、撮像装置１００の撮影モードを、ＰモードからＡモードに切り替える。また、制御部１２２は、Ｒダイヤル３０３が操作された場合、Ｒダイヤル３０３に割り当てられた撮影パラメータ、例えばＲダイヤルに割り当てられた操作機能がＦ値の変更である場合、Ｆ値をＲダイヤル３０３の回転に応じて変更する。ステップＳ１０５の後、撮像装置１００は、ステップＳ１０６へ移行する。
【００８０】
ステップＳ１０６において、シャッターボタン３０５が半押しされることによって、１ｓｔレリーズがオン状態となった場合（ステップＳ１０６：Ｙｅｓ）、撮像装置１００は、撮像素子１０７が生成した画像データに基づいて、レンズ部１０１を合焦させるとともに適正露出にさせる１ｓｔＯＮ処理を実行する（ステップＳ１０７）。ステップＳ１０７の後、撮像装置１００は、後述するステップＳ１０８へ移行する。
【００８１】
ステップＳ１０６において、シャッターボタン３０５が半押しされることなく、１ｓｔレリーズがオン状態となっていない場合（ステップＳ１０６：Ｎｏ）、撮像装置１００は、後述するステップＳ１１０へ移行する。
【００８２】
ステップＳ１０８において、シャッターボタン３０５が全押しされることによって、２ｎｄレリーズがオン状態となった場合（ステップＳ１０８：Ｙｅｓ）、撮像装置１００は、撮像素子１０７に静止画撮影を実行させる（ステップＳ１０９）。ステップＳ１０９の後、撮像装置１００は、後述するステップＳ１１０へ移行する。これに対して、シャッターボタン３０５が全押しされることなく、２ｎｄレリーズがオン状態となっていない場合（ステップＳ１０８：Ｎｏ）、撮像装置１００は、後述するステップＳ１１０へ移行する。
【００８３】
ステップＳ１１０において、電源レバー３０１が操作され終了する場合（ステップＳ１１０：Ｙｅｓ）、撮像装置１００は、本処理を終了する。これに対して、電源レバー３０１が操作されず、終了しない場合（ステップＳ１１０：Ｎｏ）、撮像装置１００は、ステップＳ１０１へ戻る。
【００８４】
〔ＭｙＳｅｔボタン処理〕
次に、図１４のステップＳ１０４で説明したＭｙＳｅｔボタン処理について説明する。図１５は、ＭｙＳｅｔボタン処理の概要を示すフローチャートである。
【００８５】
図１５に示すように、まず、制御部１２２は、撮像装置１００の撮影中断処理を実行する（ステップＳ２０１）。具体的には、制御部１２２は、撮像装置１００が動画データを生成する動画撮影、シャッターボタン３０５が全押しされている期間だけ撮像素子１０７に露光させるＴＩＭＥ撮影、および所定の間隔で連続して撮影するインターバル撮影（タイムラプス撮影）等の撮像装置１００が自動で撮影を継続する撮影を中断または終了する。
【００８６】
続いて、制御部１２２は、撮像装置１００の状態が変更操作を受け付け可能な状態であるか否かを判断する（ステップＳ２０２）。具体的には、制御部１２２は、外部メモリ１１４が画像データ等の記録中に、撮像装置１００の撮影パラメータの変更によってメモリマッピングの変更が禁止されているため、外部メモリ１１４が画像データ等の記録中であるか否かを判断する。即ち、制御部１２２は、外部メモリ１１４が画像データ等の記録中である場合、ＭｙＳｅｔボタン２０１による各種の設定変更を受け付けない。制御部１２２によって撮像装置１００の状態が変更操作を受け付け可能な状態であると判断された場合（ステップＳ２０２：Ｙｅｓ）、撮像装置１００は、後述するステップＳ２０３へ移行する。これに対して、制御部１２２によって撮像装置１００の状態が変更操作を受け付け可能な状態でないと判断された場合（ステップＳ２０２：Ｎｏ）、撮像装置１００は、図１４のメインルーチンへ戻る。
【００８７】
ステップＳ２０３において、表示制御部１２２ａは、ＭｙＳｅｔダイアログ画面を第１表示部１１５に表示させる。具体的には、図１６および図１７に示すように、表示制御部１２２ａは、ＭｙＳｅｔダイアログ画面Ｐ１を第１表示部１１５に表示させる。ＭｙＳｅｔダイアログ画面Ｐ１には、設定情報記録部３２が記録する複数のマイセット情報それぞれに対応するＭｙＳｅｔ１Ｍ１、ＭｙＳｅｔ２Ｍ２、ＭｙＳｅｔ３Ｍ３、ＭｙＳｅｔ４Ｍ４が含まれる。さらに、表示制御部１２２ａは、現在選択されている設定情報（例えばＭｙＳｅｔ１Ｍ１）を強調表示するとともに、現在選択されている設定情報に対してユーザが登録した設定情報のタイトルｍ１を表示する。ユーザは、ダイヤル、例えばＲダイヤル３０３を回転することによって所望の設定情報を選択する。この場合、表示制御部１２２ａは、Ｒダイヤル３０３の回転に合わせて、強調表示する設定情報を変更するとともに、タイトルを変更して第１表示部１１５に表示させる（図１６→図１７）。
【００８８】
続いて、ダイヤルの回転があった場合（ステップＳ２０４：Ｙｅｓ）において、ダイヤル回転方向が右回しであるとき（ステップＳ２０５：Ｙｅｓ）、制御部１２２は、ＭｙＳｅｔナンバーをインクリメントする（ステップＳ２０６）。ステップＳ２０６の後、撮像装置１００は、後述するステップＳ２０８へ移行する。
【００８９】
ステップＳ２０４において、ダイヤルの回転があった場合（ステップＳ２０４：Ｙｅｓ）において、ダイヤル回転方向が右回しでないとき（ステップＳ２０５：Ｎｏ）、制御部１２２は、ＭｙＳｅｔナンバーをデクリメントする（ステップＳ２０７）。ステップＳ２０７の後、撮像装置１００は、後述するステップＳ２０８へ移行する。
【００９０】
ステップＳ２０４において、ダイヤルの回転がなかった場合（ステップＳ２０４：Ｎｏ）、撮像装置１００は、後述するステップＳ２０８へ移行する。
【００９１】
ステップＳ２０８において、ＭｙＳｅｔボタン２０１が押下中である場合（ステップＳ２０８：Ｙｅｓ）、撮像装置１００は、上述したステップＳ２０３へ戻る。これに対して、ＭｙＳｅｔボタン２０１が押下中でない場合（ステップＳ２０８：Ｎｏ）、撮像装置１００は、後述するステップＳ２０９へ移行する。
【００９２】
ステップＳ２０９において、撮像装置１００は、マイセット禁止機能の登録リストを自動で生成するマイセット禁止機能登録リスト自動生成処理を実行する。なお、マイセット禁止機能登録リスト自動生成処理の詳細は後述する。
【００９３】
続いて、撮像装置１００は、複数の操作部材の各々にユーザによって選択された設定情報を割り当てるマイセット設定・解除処理を実行する（ステップＳ２１０）。なお、マイセット設定・解除処理の詳細は後述する。ステップＳ２１０の後、撮像装置１００は、図１４のメインルーチンへ戻る。
【００９４】
〔マイセット禁止機能登録リスト自動生成処理〕
次に、図１５のステップＳ２０９で説明したマイセット禁止機能登録リスト自動生成処理について説明する。図１８は、マイセット禁止機能登録リスト自動生成処理の概要を示すフローチャートである。
【００９５】
図１８に示すように、まず、制御部１２２は、ボタンマイセットの発動直前であるか否かを判断する（ステップＳ３０１）。制御部１２２によってボタンマイセットの発動直前であると判断した場合（ステップＳ３０１：Ｙｅｓ）、撮像装置１００は、後述するステップＳ３０５へ移行する。これに対して、制御部１２２によってボタンマイセットの発動直前でないと判断した場合（ステップＳ３０１：Ｎｏ）、撮像装置１００は、後述するステップＳ３０２へ移行する。
【００９６】
ステップＳ３０２において、制御部１２２は、ボタンマイセットの発動直後であるか否かを判断する。制御部１２２によってボタンマイセットの発動直後であると判断された場合（ステップＳ３０２：Ｙｅｓ）、撮像装置１００は、後述するステップＳ３０５へ移行する。これに対して、制御部１２２によってボタンマイセットの発動直後でないと判断された場合（ステップＳ３０２：Ｎｏ）、撮像装置１００は、後述するステップＳ３０３へ移行する。
【００９７】
ステップＳ３０３において、制御部１２２は、撮像装置１００のＰＯＷＥＲ＿ＯＦＦまたはＰＯＷＥＲ＿ＯＮ時であるか否かを判断する。制御部１２２によって撮像装置１００のＰＯＷＥＲ＿ＯＦＦまたはＰＯＷＥＲ＿ＯＮ時であると判断された場合（ステップＳ３０３：Ｙｅｓ）、撮像装置１００は、後述するステップＳ３０５へ移行する。これに対して、制御部１２２によって撮像装置１００のＰＯＷＥＲ＿ＯＦＦまたはＰＯＷＥＲ＿ＯＮ時でないと判断された場合（ステップＳ３０３：Ｎｏ）、撮像装置１００は、後述するステップＳ３０４へ移行する。
【００９８】
ステップＳ３０４において、制御部１２２は、現設定でボタンマイセットの割り当て変更であるか否かを判断する。制御部１２２によって現設定でボタンマイセットの割り当て変更であると判断された場合（ステップＳ３０４：Ｙｅｓ）、撮像装置１００は、後述するステップＳ３０５へ移行する。これに対して、制御部１２２によって現設定でボタンマイセットの割り当て変更でないと判断された場合（ステップＳ３０４：Ｎｏ）、撮像装置１００は、図１５のサブルーチンへ戻る。
【００９９】
ステップＳ３０５において、切替部４３は、現設定でボタンＭｙＳｅｔ機能を割り当てられたＦｎボタンをチェックして禁止する。
【０１００】
続いて、切替部４３は、ボタンＭｙＳｅｔの飛び先のマイセットでボタンＭｙＳｅｔ機能を割り当てられたＦｎボタンをチェックして禁止し（ステップＳ３０６）、状態スイッチであるＦｎレバー２１５をチェックして禁止する（ステップＳ３０７）。
【０１０１】
その後、切替部４３は、ユーザが禁止したい操作部材をあらかじめ登録しておいたユーザ設定をチェックして禁止する（ステップＳ３０８）。図１９、図２０の実施例ではＦダイヤル、Ｒダイヤルがユーザにより禁止指定されている。ステップＳ３０８の後、撮像装置１００は、図１５のサブルーチンへ戻る。
【０１０２】
ここで、マイセット禁止機能登録リスト自動生成処理の概要について説明する。図１９および図２０は、マイセット禁止機能登録リスト自動生成処理の概要を説明する説明図である。図１９において、撮像装置１００は、撮影モードがＰモードに設定されている場合について説明する。さらに、図１９においては、撮像装置１００のベース設定値（初期設定）として、Ｆｎ１ボタン２０１にボタンＭｙＳｅｔ機能が割り当てられて設定されている場合について説明する。また、図２０において、撮像装置１００は、撮影モードがＣ１モードに設定されている場合について説明する。さらに、図２０においては、Ｆｎ２ボタン２０２にボタンＭｙＳｅｔ機能が割り当てられて設定されている場合について説明する。
【０１０３】
まず、撮像装置１００が撮影モードとしてＰモードが設定されている場合について説明する。図１９の［Ａ］に示すように、切替部４３は、現設定であるベース設定値においてボタンＭｙＳｅｔ機能を割り当てられたＦｎ１ボタン２０１にチェックしてボタンＭｙＳｅｔ機能が他のＭｙＳｅｔ１〜４で設定された操作機能に変更されてしまうことを禁止する。具体的には、ボタンＭｙＳｅｔ機能を割り当てられたＦｎ１ボタン２０１は、設定部４２によってＭｙＳｅｔ１〜４で他の操作機能、例えばＭｙＳｅｔ２でＲＡＷ切換機能が設定されている場合において、撮像装置１００がボタンＭｙＳｅｔを発動したときであっても、操作機能としてＭｙＳｅｔ機能が変更されることを禁止する（ＸＡは[Ａ]のルールにより、ＭｙＳｅｔ1〜４の登録値への機能変更が禁止されていることを示す。）。これにより、Ｆｎ１ボタン２０１が押下された場合であっても、Ｆｎ１ボタン２０１の操作機能を変更せず維持しているので、Ｆｎ１ボタン２０１を再度、押下した場合であっても、確実に元の操作状態に復帰することができる。
【０１０４】
また、図１９の［Ｂ］に示すように、切替部４３は、ボタンＭｙＳｅｔの飛び先のマイセットでボタンＭｙＳｅｔ機能を割り当てられたＦｎボタンをチェックして禁止する。具体的には、切替部４３は、撮像装置１００がマイセット登録値のＭｙＳｅｔ３が設定されている場合において、設定部４２によってＦｎ４ボタン２０４の操作機能にＭｙＳｅｔ１呼び出し機能であるＭｙＳｅｔ１および動画ボタン２０５の操作機能にＭｙＳｅｔ２呼び出し機能であるＭｙＳｅｔ２の各々が設定されているとき、Ｆｎ４ボタン２０４および動画ボタン２０５の各々の操作機能がＭｙＳｅｔ呼び出し機能に変更され、ＭｙＳｅｔ呼び出し機能が不用意に増減することを禁止する（XBは[B]のルールにより、ＭｙＳｅｔ1〜４の登録値への機能変更が禁止されていることを示す。）。ここでは、ＭｙＳｅｔ３が呼び出された場合に、Ｆ４ボタン２０４、動画ボタン２０５の機能変更が禁止されているが、ＭｙＳｅｔ１，２，４の呼び出しに置いても禁止してしまうように構成しても良い。
以上のように、ＭｙＳｅｔ遷移元のボタンＭｙＳｅｔで割り当てられたボタンの操作機能を変更することを禁止することで、ボタンＭｙＳｅｔ機能が割り当てられた操作部の数が減少することを防止したので、元の状態に、確実かつ迅速に復帰することを保証し、また、ＭｙＳｅｔ機能の増減を禁止したのでＭｙＳｅｔの多重的な遷移を防止し、ユーザが安定したＭｙＳｅｔ遷移操作を行うことができる。
【０１０５】
さらに、図１９の［Ｃ］に示すように、切替部４３は、Ｆｎレバー２１５をチェックして禁止する。具体的には、切替部４３は、設定部４２がＭｙＳｅｔ１〜４において各操作機能を設定している場合において、撮像装置１００がボタンＭｙＳｅｔ１を発動したときであっても、Ｆｎレバー２１５に割り当てられた操作機能のｍｏｄｅｌ（２×２ダイヤル）の変更を禁止する登録値ＸＣを設定する。これにより、Ｆｎレバー２１５の操作機能の変更を禁止しているので、ＭｙＳｅｔ遷移に連動してユーザが意図しない状態や予測し難い状態にいきなり遷移することを確実に防止することができるとともに、安定したＭｙＳｅｔ遷移操作を行うことができる。この結果、被写体に対するシャッターチャンスの喪失を防止することができる。
【０１０６】
さらにまた、図１９の［Ｄ］に示すように、切替部４３は、ユーザ設定をチェックして禁止する。具体的には、切替部４３は、設定部４２がＭｙＳｅｔ１〜４において各操作機能を設定している場合において、撮像装置１００がボタンＭｙＳｅｔ１を発動したときであっても、Ｒダイヤル３０３およびＦダイヤル３０４に割り当てられた操作機能の変更を禁止する。これにより、Ｒダイヤル３０３およびＦダイヤル３０４の操作機能の変更を禁止しているので、ＭｙＳｅｔ遷移に連動してユーザが意図しない状態や予測し難い状態に遷移することを確実に防止することができるとともに、安定したＭｙＳｅｔ遷移操作を行うことができる。この結果、ユーザが不用意に撮影条件を変更してしまうことによる被写体に対するシャッターチャンスの喪失を防止することができる。
【０１０７】
次に、撮像装置１００がＣ１モードに設定されている場合について説明する。モードダイヤルをＣ１に設定すると、ＭｙＳｅｔ1に登録した操作機能が設定される。同様にＣ２に設定するとＭｙＳｅｔ2の登録内容で、Ｃ３に設定するとＭｙＳｅｔ３の登録内容で設定され、この状態が遷移元の状態となる。図２０ではＣ１すなわち、ＭｙＳｅｔ２による設定内容が遷移元であり、ここから他のＭｙＳｅｔ状態に一時的に遷移することになる。図２０の［Ａ］に示すように、切替部４３は、マイセット登録値のＭｙＳｅｔ１において、ボタンＭｙＳｅｔ機能を割り当てられたＦｎ１ボタン２０１にチェックしてボタンＭｙＳｅｔ機能が他のＭｙＳｅｔ２〜４で設定された操作機能に変更されてしまうことを禁止する。具体的には、ボタンＭｙＳｅｔ機能を割り当てられたＦｎ２ボタン２０３は、設定部４２によってＭｙＳｅｔ１〜４で他の操作機能、例えばＭｙＳｅｔ２で手ぶれ補正機能が設定されている場合において、撮像装置１００がボタンＭｙＳｅｔを発動したときであっても、操作機能としてＭｙＳｅｔ機能が変更されることを禁止する。これにより、Ｆｎ１ボタン２０１が押下された場合であっても、Ｆｎ１ボタン２０１の操作機能を変更せず維持しているので、Ｆｎ１ボタン２０１を再度、押下した場合であっても、確実に元の操作状態に復帰することができる。
【０１０８】
また、図２０の［Ｂ］に示すように、切替部４３は、ボタンＭｙＳｅｔの飛び先のマイセットでボタンＭｙＳｅｔ機能を割り当てられたＦｎボタンをチェックして禁止する。具体的には、切替部４３は、撮像装置１００がマイセット登録値のＭｙＳｅｔ３が設定されている場合において、設定部４２によってＦｎ４ボタン２０４の操作機能にＭｙＳｅｔ１および動画ボタン２０５の操作機能にＭｙＳｅｔ２の各々が設定されているとき、Ｆｎ４ボタン２０４および動画ボタン２０５の各々の操作機能がＭｙＳｅｔ１およびＭｙＳｅｔ２に変更されてしまうことを禁止する。
【０１０９】
さらに、図２０の［Ｃ］に示すように、切替部４３は、Ｆｎレバー２１５をチェックして禁止する。具体的には、切替部４３は、設定部４２がＭｙＳｅｔ１〜４において各操作機能を設定している場合において、撮像装置１００がボタンＭｙＳｅｔ３を発動したときであっても、Ｆｎレバー２１５に割り当てられた操作機能のｍｏｄｅｌ（２×２ダイヤル）の変更を禁止する。
【０１１０】
さらにまた、図２０の［Ｄ］に示すように、切替部４３は、ユーザ設定をチェックして禁止する。具体的には、切替部４３は、設定部４２がＭｙＳｅｔ１〜４において各操作機能を設定している場合において、撮像装置１００がボタンＭｙＳｅｔ１を発動したときであっても、Ｒダイヤル３０３およびＦダイヤル３０４に割り当てられた操作機能の変更を禁止する。以上のように、Ｃ１、Ｃ２、Ｃ３モードからのボタンマイセットの発動は、Ｐ、Ａ、Ｓ、Ｍのベース設定値からのボタンマイセットの発動と全く同じであり、遷移元の設定内容がベース設定値か、ＭｙＳｅｔ１〜３かの違いである。
【０１１１】
〔マイセット設定・解除処理〕
次に、図１５のステップＳ２１０で説明したマイセット設定・解除処理について説明する。図２１は、マイセット設定・解除処理の概要を示すフローチャートである。
【０１１２】
図２１に示すように、まず、制御部１２２は、記録部１１６に記録されたＭｙＳｅｔ＿Ｆｌａｇが「０」（ＭｙＳｅｔ＿Ｆｌａｇ＝「０」）であるか否かを判断する。具体的には、制御部１２２は、ＭｙＳｅｔ＿Ｆｌａｇ＝「０」である場合、撮像装置１００が非マイセット状態であると判断する一方、ＭｙＳｅｔ＿Ｆｌａｇ＝「０」でない場合、撮像装置１００がマイセット状態であると判断する。制御部１２２によって記録部１１６に記録されたＭｙＳｅｔ＿Ｆｌａｇが「０」であると判断された場合（ステップＳ４０１：Ｙｅｓ）、撮像装置１００は、後述するステップＳ４０２へ移行する。これに対して、制御部１２２によって記録部１１６に記録されたＭｙＳｅｔ＿Ｆｌａｇが「０」でないと判断された場合（ステップＳ４０１：Ｎｏ）、撮像装置１００は、後述するステップＳ４０６へ移行する。
【０１１３】
ステップＳ４０２において、設定部４２は、各操作部材に割り当てられた操作機能の現設定を、設定情報記録部３２が記録する設定情報のベース設定に退避させる。
【０１１４】
続いて、設定部４２は、現設定にＭｙＳｅｔ該当ナンバーの禁止項目以外の「撮影条件」設定値を設定し（ステップＳ４０３）、現設定にＭｙＳｅｔ該当ナンバーの禁止項目以外の「操作部材機能」設定値を設定する（ステップＳ４０４）。「撮影条件」のＭｙＳｅｔ登録に関しては説明を割愛したが、不図示のメニューによって、測光モード、ＷＢモード、ＡＦモード、画質モードなど、撮影時の設定条件をＭｙＳｅｔ１〜４に登録することや、登録禁止指定をするができる。ステップＳ４０２の現設定の内容もこれを含んでいる。
【０１１５】
その後、切替部４３は、ＭｙＳｅｔ＿ＦｌａｇをＭｙＳｅｔ該当ナンバーに切り替える（ＭｙＳｅｔ＿Ｆｌａｇ＝「ＭｙＳｅｔ該当ナンバー」）（ステップＳ４０５）。この場合、図２２および図２３に示すように、表示制御部１２２ａは、ＭｙＳｅｔ該当ナンバーに関する情報Ｍ１０を第１表示部１１５に表示させる（図２２→図２３）。ステップＳ４０５の後、撮像装置１００は、図１５のサブルーチンへ戻る。
【０１１６】
ステップＳ４０６において、制御部１２２は、ＭｙＳｅｔ＿ＦｌａｇがＭｙＳｅｔ操作部材によって指示されたＭｙＳｅｔ該当ナンバーに一致するか否かを判断する。制御部１２２によってＭｙＳｅｔ＿ＦｌａｇがＭｙＳｅｔ該当ナンバーに一致すると判断された場合（ステップＳ４０６：Ｙｅｓ）、撮像装置１００は、後述するステップＳ４０７へ移行する。これに対して、制御部１２２によってＭｙＳｅｔ＿ＦｌａｇがＭｙＳｅｔ該当ナンバーに一致しないと判断された場合（ステップＳ４０６：Ｎｏ）、撮像装置１００は、後述するステップＳ４０３へ移行する。
【０１１７】
ステップＳ４０７において、復帰部４４は、各操作部材に割り当てられた操作機能の現設定に、設定情報記録部３２が記録するベース設定値を設定する。
【０１１８】
続いて、復帰部４４は、ＭｙＳｅｔ＿Ｆｌａｇを「０」（ＭｙＳｅｔ＿Ｆｌａｇ＝「０」）に設定する（ステップＳ４０８）。ステップＳ４０８の後、撮像装置１００は、図１５のサブルーチンへ戻る。
【０１１９】
以上説明した本発明の実施の形態２によれば、複数の操作部の各々に任意の操作機能を割り当てて設定した場合であっても、ボタンＭｙＳｅｔに割り当てた設定に瞬時切り替えることができるとともに、元の状態に確実に復帰することができるとともに、変更される前の操作機能に復帰させるので、元の状態に確実に復帰することができる。
【０１２０】
また、本発明の実施の形態２によれば、切替部４３がボタンＭｙＳｅｔ発動時に禁止する操作部１１７の操作部材を自動で設定して管理するようにしたので、ユーザが各操作機能の問題を考慮することなく、自由に操作機能を割り当てて容易に設定することができる。
【０１２１】
さらに、本発明の実施の形態２によれば、ユーザの操作に応じて、生成部４１がユーザのお好みの撮影条件や操作機能を複数のＭｙＳｅｔとして生成して登録することができる、複数のＭｙＳｅｔを複数のＭｙＳｅｔボタンにより瞬時に読み出し可能であるとともに、元の状態に瞬時に確実に復帰することができる。
【０１２２】
さらにまた、本発明の実施の形態２によれば、ＭｙＳｅｔ遷移によって、撮像装置１００の機能不全になることを確実に防止することができる。
【０１２３】
なお、本発明の実施の形態２では、切替部４３が複数の操作部材の各々に操作機能を切り替えて割り当てていたが、これに限定されることなく、例えば第１表示部１１５が表示する複数のアイコンの各々に操作機能を割り当ててもよい。具体的には、図２４に示すように、アイコンＡ１のタブ内にある仮想的なボタンであるアイコンＡ１１〜アイコンＡ１５の操作機能を切り替える。この場合、切替部４３は、アイコンＡ１１〜アイコンＡ１５のうちマイセットボタン機能に割り当てられた操作機能の変更を禁止する。具体的には、切替部４３は、アイコンＡ１に割り当てられたマイセット情報の読み出し機能を、マイセット情報に登録された操作機能に変更されることを禁止する。これにより、ユーザは、瞬時に任意の操作機能に変更することができるとともに、アイコンＡ１１〜アイコンＡ１５のうちマイアセットボタン機能に割り当てられた仮想ボタンの操作機能の変更が禁止されているので、アイコンＡ１１〜アイコンＡ１５の操作機能が変更された場合であっても、操作に戸惑うことなく、撮像装置１００の操作を行うことができる。
【０１２４】
また、本発明の実施の形態２では、マイセットの操作部材をボタンで説明していたが、これに限定されることなく、Ｆｎレバー２１５にマイセットを読み出す操作機能を設置してもよい。具体的には、図２６および図２７に示すように、撮像装置１００がＣ１モードに設定されている場合において、Ｆｎレバー２１５が切り替えられた場合（図２６→図２７）、切替部４３は、静止画モード関連の設定が優先されている操作内容から動画モード関連の設定が優先されている操作内容に切り替える。これにより、動画用のマイセットに瞬時に切り替えることができ、Ｆｎレバー２１５を元の位置に戻した場合は静止画用の撮影状態に確実に復帰することができるようになり、Ｆｎレバー２１５に複数の操作機能を選択的に割り当てることが可能である。
【０１２５】
（その他の実施の形態）
上述した本発明の実施の形態１，２に開示されている複数の構成要素を適宜組み合わせることによって、種々の発明を形成することができる。例えば、上述した本発明の実施の形態１，２に記載した全構成要素からいくつかの構成要素を削除してもよい。さらに、上述した本発明の実施の形態１，２で説明した構成要素を適宜組み合わせてもよい。
【０１２６】
また、本発明の実施の形態１，２では、上述してきた「部」は、「手段」や「回路」などに読み替えることができる。例えば、制御部は、制御手段や制御回路に読み替えることができる。
【０１２７】
また、本発明の実施の形態１，２に係る機器に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１２８】
また、本発明の実施の形態１，２に係る機器に実行させるプログラムは、インターネット等のネットワークに接続されたコンピュータ上に格納し、ネットワーク経由でダウンロードさせることにより提供するように構成してもよい。さらに、本発明の実施の形態１，２に係る機器または撮像装置に実行させるプログラムをインターネット等のネットワーク経由で提供または配布するように構成しても良い。
【０１２９】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。また、こうした、単純な分岐処理からなるプログラムに限らず、より多くの判定項目を総合的に判定して分岐させてもよい。その場合、ユーザにマニュアル操作を促して学習を繰り返すうちに機械学習するような人工知能の技術を併用しても良い。また、多くの専門家が行う操作パターンを学習させて、さらに複雑な条件を入れ込む形で深層学習をさせて実行してもよい。
【０１３０】
以上、本願の実施の形態のいくつかを図面に基づいて詳細に説明したが、これらは例示であり、本発明の開示の欄に記載の態様を初めとして、当業者の知識に基づいて種々の変形、改良を施した他の形態で本発明を実施することが可能である。
【符号の説明】
【０１３１】
１・・・機器；２ｎ・・・第ｎ操作部材；３・・・記録部；４・・・制御部；２１・・・第１操作部材；２２・・・第２操作部材；３１・・・プログラム情報記録部；３２・・・設定情報記録部；４１・・・生成部；４２・・・設定部；４３・・・切替部；４４・・・復帰部；１００・・・撮像装置；１０１・・・レンズ部；１０２・・・レンズ制御部；１０３・・・絞り；１０４・・・絞り制御部；１０５・・・シャッタ；１０６・・・シャッタ制御部；１０７・・・撮像素子；１０８・・・撮像制御部；１０９・・・Ａ／Ｄ変換部；１１０・・・メモリ；１１１・・・画像処理部；１１２・・・露出制御部；１１３・・・ＡＦ処理部；１１４・・・外部メモリ；１１５・・・第１表示部；１１６・・・記録部；１１７・・・操作部；１１８・・・第２表示部；１１９・・・電源部；１２０・・・電源制御部；１２１・・・アクセサリー接続部；１２２・・・制御部；１２２ａ・・・表示制御部；２０１・・・Ｆｎ１ボタン；２０２・・・Ｆｎ２ボタン；２０３・・・Ｆｎ３ボタン；２０４・・・Ｆｎ４ボタン；２０５・・・動画ボタン；２０６・・・上方向ボタン；２０７・・・下方向ボタン；２０８・・・左方向ボタン；２０９・・・右方向ボタン；２１０・・・決定ボタン；２１１・・・ＩＮＦＯボタン；２１２・・・ＭＥＮＵボタン；２１３・・・再生ボタン；２１４・・・消去ボタン；２１５・・・Ｆｎレバー；３０１・・・電源レバー；３０２・・・撮影モードダイヤル；３０２ａ・・・軸；３０３・・・Ｒダイヤル；３０４・・・Ｆダイヤル；３０５・・・シャッターボタン；
【図１】
2019106677.tif 000003
【図２】
2019106677.tif 000004
【図３】
2019106677.tif 000005
【図４】
2019106677.tif 000006
【図５】
2019106677.tif 000007
【図６】
2019106677.tif 000008
【図７】
2019106677.tif 000009
【図８】
2019106677.tif 000010
【図９】
2019106677.tif 000011
【図１０】
2019106677.tif 000012
【図１１】
2019106677.tif 000013
【図１２】
2019106677.tif 000014
【図１３】
2019106677.tif 000015
【図１４】
2019106677.tif 000016
【図１５】
2019106677.tif 000017
【図１６】
2019106677.tif 000018
【図１７】
2019106677.tif 000019
【図１８】
2019106677.tif 000020
【図１９】
2019106677.tif 000021
【図２０】
2019106677.tif 000022
【図２１】
2019106677.tif 000023
【図２２】
2019106677.tif 000024
【図２３】
2019106677.tif 000025
【図２４】
2019106677.tif 000026
【図２５】
2019106677.tif 000027
【図２６】
2019106677.tif 000028
【図２７】
2019106677.tif 000029